【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
カメラと、該カメラからの画像を画面に表示可能な画像表示部とを備え、該カメラで撮影された画像に係る画像情報を保存可能な又は外部に送信可能な装置に搭載されたコンピュータを機能させるプログラムであって、
撮影対象における複数の対象部分の各々に予め対応付けられた複数のガイド表示の各々を、前記画面に順次表示させるガイド表示制御手段と、
当該ガイド表示が表示されているとき若しくは表示された直後に前記カメラによって行われた撮影に係る情報、又は当該撮影によって生成された画像に係る情報に基づいて、表示されたガイド表示に対応する対象部分の属性情報を決定する属性情報決定手段と、
当該撮影対象の対象部分又は該撮影対象に係る書類が、該撮影対象の属性に係るテキスト情報を含む場合に、該対象部分又は該書類を撮影した画像に含まれるテキスト情報に基づいて当該撮影対象に係る属性情報を生成する属性情報生成手段と、
当該対象部分毎に、当該対象部分に対応付けられたガイド表示について撮影された画像が存在する場合には該画像と、当該対象部分について決定された属性情報とを当該対象部分に対応付けた対象画像情報であって、当該撮影対象に係る属性情報が生成されている場合には当該撮影対象に係る属性情報を含む対象画像情報を生成する対象画像情報生成手段と
してコンピュータを機能させることを特徴とする対象画像情報生成プログラム。
【請求項２】
当該撮影対象は複数の種別に分類されるものであり、
前記装置は、当該種別毎に、当該種別の撮影対象の対象部分に対応付けられた複数のガイド表示のセットを、当該種別に予め対応付けて保存するガイド表示保存部を更に有し、
前記ガイド表示制御手段は、当該撮影対象の種別に対応付けられたガイド表示のセットに含まれるガイド表示の各々を順次表示させる
ことを特徴とする請求項１に記載の対象画像情報生成プログラム。
【請求項３】
前記ガイド表示制御手段は、当該撮影対象の周囲を戻ることなく一回りすることによっても当該複数のガイド表示に対応する当該複数の対象部分を撮影できるような順番をもって、当該複数のガイド表示の各々を表示させることを特徴とする請求項１又は２に記載の対象画像情報生成プログラム。
【請求項４】
前記ガイド表示制御手段は、当該対象部分に予め対応付けられたテキスト情報を、該対象部分に予め対応付けられたガイド表示とともに表示させることを特徴とする請求項１から３のいずれか１項に記載の対象画像情報生成プログラム。
【請求項５】
ユーザによる対象部分の追加の指示を受け付け、当該指示に係る対象部分に対応付けられるガイド表示として、新たなガイド表示を生成する、又は予め準備された候補ガイド表示を割り当てるガイド表示追加手段としてコンピュータを更に機能させることを特徴とする請求項１から４のいずれか１項に記載の対象画像情報生成プログラム。
【請求項６】
当該撮影対象は自動車であって、当該ガイド表示は自動車の対象部分を模した透かし図形画像であり、
前記属性情報決定手段は、前記カメラによる撮影が行われた場合又は前記カメラで撮影された画像が取得された場合に、当該撮影に係る表示された透かし図形画像に対応する対象部分について、予め設定された所定の装備、構成又は機能を有するとの属性情報を決定する
ことを特徴とする請求項１から５のいずれか１項に記載の対象画像情報生成プログラム。
【請求項７】
カメラと、該カメラからの画像を画面に表示可能な画像表示部とを備え、該カメラで撮影された画像に係る画像情報を保存可能な又は外部に送信可能な装置であって、
撮影対象における複数の対象部分の各々に予め対応付けられた複数のガイド表示の各々を、前記画面に順次表示させるガイド表示制御手段と、
当該ガイド表示が表示されているとき若しくは表示された直後に前記カメラによって行われた撮影に係る情報、又は当該撮影によって生成された画像に係る情報に基づいて、表示されたガイド表示に対応する対象部分の属性情報を決定する属性情報決定手段と、
当該撮影対象の対象部分又は該撮影対象に係る書類が、該撮影対象の属性に係るテキスト情報を含む場合に、該対象部分又は該書類を撮影した画像に含まれるテキスト情報に基づいて当該撮影対象に係る属性情報を生成する属性情報生成手段と、
当該対象部分毎に、当該対象部分に対応付けられたガイド表示について撮影された画像が存在する場合には該画像と、当該対象部分について決定された属性情報とを当該対象部分に対応付けた対象画像情報であって、当該撮影対象に係る属性情報が生成されている場合には当該撮影対象に係る属性情報を含む対象画像情報を生成する対象画像情報生成手段と
を有することを特徴とする対象画像情報生成装置。
【請求項８】
カメラと、該カメラからの画像を画面に表示可能な画像表示部とを備え、該カメラで撮影された画像に係る画像情報を送信可能な端末と、当該画像情報を受信可能なサーバとを備えたシステムであって、
前記端末は、
撮影対象における複数の対象部分の各々に予め対応付けられた複数のガイド表示の各々を、前記画面に順次表示させるガイド表示制御手段と、
当該ガイド表示が表示されているとき若しくは表示された直後に前記カメラによって行われた撮影に係る情報、又は当該撮影によって生成された画像に係る情報に基づいて、表示されたガイド表示に対応する対象部分の属性情報を決定する属性情報決定手段と、
当該撮影対象の対象部分又は該撮影対象に係る書類が、該撮影対象の属性に係るテキスト情報を含む場合に、該対象部分又は該書類を撮影した画像に含まれるテキスト情報に基づいて当該撮影対象に係る属性情報を生成する属性情報生成手段と、
当該対象部分毎に、当該対象部分に対応付けられたガイド表示について撮影された画像が存在する場合には該画像と、当該対象部分について決定された属性情報とを当該対象部分に対応付けた対象画像情報であって、当該撮影対象に係る属性情報が生成されている場合には当該撮影対象に係る属性情報を含む対象画像情報を生成する対象画像情報生成手段と
を有し、
前記サーバは、受信された対象画像情報に基づいて、各対象部分について撮影された画像が存在する場合には該画像と、各対象部分について決定された属性情報と、当該撮影対象に係る属性情報が生成されている場合には当該撮影対象に係る属性情報とを用いて、当該撮影対象の状態を提示する対象提示情報を生成し、当該対象提示情報を外部に配信する
ことを特徴とする対象情報提示システム。
【請求項９】
カメラと、該カメラからの画像を画面に表示可能な画像表示部とを備え、該カメラで撮影された画像に係る画像情報を保存可能な又は外部に送信可能な装置における方法であって、
撮影対象における複数の対象部分の各々に予め対応付けられた複数のガイド表示の各々を、前記画面に順次表示させ、
当該ガイド表示が表示されているとき若しくは表示された直後に前記カメラによって行われた撮影に係る情報、又は当該撮影によって生成された画像に係る情報に基づいて、表示されたガイド表示に対応する対象部分の属性情報を決定し、
当該撮影対象の対象部分又は該撮影対象に係る書類が、該撮影対象の属性に係るテキスト情報を含む場合に、該対象部分又は該書類を撮影した画像に含まれるテキスト情報に基づいて当該撮影対象に係る属性情報を生成し、
当該対象部分毎に、当該対象部分に対応付けられたガイド表示について撮影された画像が存在する場合には該画像と、当該対象部分について決定された属性情報とを当該対象部分に対応付けた対象画像情報であって、当該撮影対象に係る属性情報が生成されている場合には当該撮影対象に係る属性情報を含む対象画像情報を生成する
ことを特徴とする対象画像情報生成方法。
【手続補正２】
【補正対象書類名】明細書
【補正対象項目名】００１３
【補正方法】変更
【補正の内容】
【００１３】
本発明によれば、カメラと、該カメラからの画像を画面に表示可能な画像表示部とを備え、該カメラで撮影された画像に係る画像情報を保存可能な又は外部に送信可能な装置に搭載されたコンピュータを機能させるプログラムであって、
撮影対象における複数の対象部分の各々に予め対応付けられた複数のガイド表示の各々を、画面に順次表示させるガイド表示制御手段と、
当該ガイド表示が表示されているとき若しくは表示された直後に前記カメラによって行われた撮影に係る情報、又は当該撮影によって生成された画像に係る情報に基づいて、表示されたガイド表示に対応する対象部分の属性情報を決定する属性情報決定手段と、
当該撮影対象の対象部分又は該撮影対象に係る書類が、該撮影対象の属性に係るテキスト情報を含む場合に、該対象部分又は該書類を撮影した画像に含まれるテキスト情報に基づいて当該撮影対象に係る属性情報を生成する属性情報生成手段と、
当該対象部分毎に、当該対象部分に対応付けられたガイド表示について撮影された画像が存在する場合には該画像と、当該対象部分について決定された属性情報とを当該対象部分に対応付けた対象画像情報であって、当該撮影対象に係る属性情報が生成されている場合には当該撮影対象に係る属性情報を含む対象画像情報を生成する対象画像情報生成手段と
してコンピュータを機能させる対象画像情報生成プログラムが提供される。
【手続補正３】
【補正対象書類名】明細書
【補正対象項目名】００１７
【補正方法】削除
【補正の内容】
【手続補正４】
【補正対象書類名】明細書
【補正対象項目名】００１９
【補正方法】変更
【補正の内容】
【００１９】
また、本発明による対象画像情報生成プログラムにおいて、当該撮影対象は自動車であって、当該ガイド表示は自動車の対象部分を模した透かし図形画像であり、
属性情報決定手段は、カメラによる撮影が行われた場合又はカメラで撮影された画像が取得された場合に、当該撮影に係る表示された透かし図形画像に対応する対象部分について、予め設定された所定の装備、構成又は機能を有するとの属性情報を決定することも好ましい。
【手続補正５】
【補正対象書類名】明細書
【補正対象項目名】００２０
【補正方法】変更
【補正の内容】
【００２０】
本発明によれば、また、カメラと、該カメラからの画像を画面に表示可能な画像表示部とを備え、該カメラで撮影された画像に係る画像情報を保存可能な又は外部に送信可能な装置であって、
撮影対象における複数の対象部分の各々に予め対応付けられた複数のガイド表示の各々を、画面に順次表示させるガイド表示制御手段と、
当該ガイド表示が表示されているとき若しくは表示された直後に前記カメラによって行われた撮影に係る情報、又は当該撮影によって生成された画像に係る情報に基づいて、表示されたガイド表示に対応する対象部分の属性情報を決定する属性情報決定手段と、
当該撮影対象の対象部分又は該撮影対象に係る書類が、該撮影対象の属性に係るテキスト情報を含む場合に、該対象部分又は該書類を撮影した画像に含まれるテキスト情報に基づいて当該撮影対象に係る属性情報を生成する属性情報生成手段と、
当該対象部分毎に、当該対象部分に対応付けられたガイド表示について撮影された画像が存在する場合には該画像と、当該対象部分について決定された属性情報とを当該対象部分に対応付けた対象画像情報であって、当該撮影対象に係る属性情報が生成されている場合には当該撮影対象に係る属性情報を含む対象画像情報を生成する対象画像情報生成手段と
を有する対象画像情報生成装置が提供される。
【手続補正６】
【補正対象書類名】明細書
【補正対象項目名】００２１
【補正方法】変更
【補正の内容】
【００２１】
本発明によれば、さらに、カメラと、該カメラからの画像を画面に表示可能な画像表示部とを備え、該カメラで撮影された画像に係る画像情報を送信可能な端末と、当該画像情報を受信可能なサーバとを備えたシステムであって、
前記端末は、
撮影対象における複数の対象部分の各々に予め対応付けられた複数のガイド表示の各々を、前記画面に順次表示させるガイド表示制御手段と、
当該ガイド表示が表示されているとき若しくは表示された直後に前記カメラによって行われた撮影に係る情報、又は当該撮影によって生成された画像に係る情報に基づいて、表示されたガイド表示に対応する対象部分の属性情報を決定する属性情報決定手段と、
当該撮影対象の対象部分又は該撮影対象に係る書類が、該撮影対象の属性に係るテキスト情報を含む場合に、該対象部分又は該書類を撮影した画像に含まれるテキスト情報に基づいて当該撮影対象に係る属性情報を生成する属性情報生成手段と、
当該対象部分毎に、当該対象部分に対応付けられたガイド表示について撮影された画像が存在する場合には該画像と、当該対象部分について決定された属性情報とを当該対象部分に対応付けた対象画像情報であって、当該撮影対象に係る属性情報が生成されている場合には当該撮影対象に係る属性情報を含む対象画像情報を生成する対象画像情報生成手段と
を有し、
前記サーバは、受信された対象画像情報に基づいて、各対象部分について撮影された画像が存在する場合には該画像と、各対象部分について決定された属性情報と、当該撮影対象に係る属性情報が生成されている場合には当該撮影対象に係る属性情報とを用いて、当該撮影対象の状態を提示する対象提示情報を生成し、当該対象提示情報を外部に配信する
ことを特徴とする対象情報提示システムが提供される。
【手続補正７】
【補正対象書類名】明細書
【補正対象項目名】００２２
【補正方法】変更
【補正の内容】
【００２２】
本発明によれば、さらにまた、カメラと、該カメラからの画像を画面に表示可能な画像表示部とを備え、該カメラで撮影された画像に係る画像情報を保存可能な又は外部に送信可能な装置における方法であって、
撮影対象における複数の対象部分の各々に予め対応付けられた複数のガイド表示の各々を、前記画面に順次表示させ、
当該ガイド表示が表示されているとき若しくは表示された直後に前記カメラによって行われた撮影に係る情報、又は当該撮影によって生成された画像に係る情報に基づいて、表示されたガイド表示に対応する対象部分の属性情報を決定し、
当該撮影対象の対象部分又は該撮影対象に係る書類が、該撮影対象の属性に係るテキスト情報を含む場合に、該対象部分又は該書類を撮影した画像に含まれるテキスト情報に基づいて当該撮影対象に係る属性情報を生成し、
当該対象部分毎に、当該対象部分に対応付けられたガイド表示について撮影された画像が存在する場合には該画像と、当該対象部分について決定された属性情報とを当該対象部分に対応付けた対象画像情報であって、当該撮影対象に係る属性情報が生成されている場合には当該撮影対象に係る属性情報を含む対象画像情報を生成する
ことを特徴とする対象画像情報生成方法が提供される。